(57)【特許請求の範囲】
【請求項１】
それぞれ直列に、向かい合って二列に並ぶ複数のバーと、向かい合った前記バーの端部同士を順につなぐ位置で並列に並ぶ複数のバーとを備え、
全ての前記バーはひも状体でつながり、並んだバーが全体ではしご型を呈し、
前記バーが外表面に滑りにくい部位を備えており、
前記バーが長手方向に延びる中空部を備えた管状体であり、
前記中空部に挿入されたひも状体により隣り合う前記バーがつながり、
前記バーが内側に存する内側バーと外側に存する外側バーで構成される二重構造で成り、前記外側バーが滑りにくい素材で成ることを特徴とするトレーニングラダー。
【請求項２】
前記内側バーがチューブ型の硬質プラスチックで成り、前記外側バーがチューブ型の軟質プラスチックで成ることを特徴とする請求項１に記載のトレーニングラダー。
【請求項３】
前記ひも状体が前記トレーニングラダーの前記はしご型を呈するはしごの一マスを構成する４つのバーを亘って一つなぎとなった輪を形成することを特徴とする請求項２に記載のトレーニングラダー。
【請求項４】
前記ひも状体が、トレーニングラダーの全てのマスにおいて、一マスを構成する４つのバーを亘って一つなぎとなった輪を形成しており、
隣り合うマスに共通するバーにおいては、隣り合うマスのそれぞれに亘るひも状体の輪が双方とも亘ることを特徴とする請求項３に記載のトレーニングラダー。
【発明の詳細な説明】
【技術分野】
【０００１】
身体能力の維持向上のために用いるはしご型のトレーニング用具すなわちトレーニングラダーに関する。
【背景技術】
【０００２】
図８に、特許文献１に記載された従来発明を示す。特許文献１には、平行に並んだ二本のチェーン（２３ａ、２３ｂ）と、二本のチェーンをつなぐ複数のバー（２２ａ、２２ｂ、２２ｃ、２２ｄ、２２ｅ）により構成されたトレーニングラダー２１が開示されている。図８に示すトレーニングラダーにあっては、バーは円筒形の剛体で成り、バーとチェーンの接合箇所には、バーとチェーンの接合方向の変更をバーの回転で吸収するための遊びが設けてある。トレーニングラダーを持ち運ぶ際や保管する際、トレーニングラダーはバーとチェーンは小さくまとめられ、絡みやすい状態になる。しかし、仮に絡み合っても、使用者が目印の付いた両端のバー（２２ａと２２ｅ）を掴んで両手を広げることにより、バーとチェーンの自重により、絡み合いは容易にほどける。使用者のそのような動作により、絡み合いがほどけることに加えて、トレーニングラダーの使用時に求められるはしご型が容易に形成される。この結果、非常に容易に、トレーニングラダーを地面等に設置する状態にすることができる。
【０００３】
昨今、スポーツの技能向上のために、トレーニングラダーを一般家庭のフローリングの床に設置し、日常的に訓練に用いるケースが増えている。また、トレーニングラダーは、スポーツの技能を高めるためのみならず、高齢者の身体機能維持のためにも有効であるため、高齢者用に、施設や体育館で利用されるケースも増えている。
【０００４】
特許文献１のトレーニングラダーは、芝生や地面の上で用いる際には問題がないが、フローリングの床等の滑り易い場所で利用する場合、使用者がトレーニング中にうっかりバーやチェーンを踏んでしまった際に、バーやチェーンが床を滑り動く、という問題がある。バーやチェーンが床を滑り動くと、ラダーの形状が崩れるのみならず、使用者の足がバーやチェーンと共に滑り動き、使用者が転んでしまう可能性がある。
【先行技術文献】
【特許文献】
【０００５】
【特許文献１】特許第５３１９０３５号
【発明の概要】
【発明が解決しようとする課題】
【０００６】
持ち運び時や保管時の、小さく折り曲げて収納する状態にした際、トレーニングラダー自体がからまることのないトレーニングラダーを提供することを課題とする。
【０００７】
小さく折り曲げて収納する状態から、広げて、使用する状態にする際に、短時間で、容易に、はしご型に広げることのできるトレーニングラダーを提供することを課題とする。
【０００８】
使用者が、使用時にラダーを踏んだ際に、容易に滑り動くことのないトレーニングラダーを提供することを課題とする。
【課題を解決するための手段】
【０００９】
（１）それぞれ直列に、向かい合って二列に並ぶ複数のバーと、向かい合った前記バーの端部同士を順につなぐ位置で並列に並ぶ複数のバーとを備え、全ての前記バーはひも状体でつながり、並んだバーが全体ではしご型を呈し、前記バーが外表面に滑りにくい部位を備えることを特徴とするトレーニングラダーによって課題を解決する。
「それぞれ直列に、向かい合って二列に並ぶ複数のバーと、向かい合った前記バーの端部同士を順につなぐ位置で並列に並ぶ複数のバー」とは、言い換えれば、「はしご型に並んだバー」を示している。
ひも状体とは、容易に向きを変えたり曲げることができる細長いものをいう。繊維やゴム等を束ねて得たり、最初から紐の太さに加工したりして得られる。また細長いスティックがＴ字又はＬ字につながったものであって、各スティックのつながる箇所に３６０度自由に回転する機構が備わるものでもよい。
バーは、棒状体のものをいう。一つの棒状体であってもよいし多重構造であってもよい。バーの内部に空洞があってもよいし、バーの内部に空洞がなくてもよい。バーの内部に空洞がある場合、バーとバーをひも状体でつなぐ手段として、各々のバーの空洞にひもを通してつなげる、という容易な手段を用いることができる。バーに空洞がない場合には、その他の既存の方法でひもの根元をバーに取付ける。
バーが滑りにくい部位を備えている必要がある。滑りにくい部位は、バーの一部に備わるのでもよいし、バー全体に及ぶのでもよい。複数のバーのうちいくつかのバーが滑りにくい部位を備えているのでもよいし、全てのバーが滑りにくい部位を備えているのでもよい。全てのバーが滑りにくい部位を備える場合、仮にトレーニングラダーの使用者が一本のバーを踏み、踏まれたバーが多少滑り動いたとしても、他のバーの備える滑りにくい部位が、ラダー全体が大きく滑り動くのを止める。
滑りにくい部位を得るために、例えば、バーにゴムやシリコンの被膜層を設けるのでもよい。また、滑りにくい部位を得るために、バーの表面に微細な凹凸加工を施すのでもよい。
【００１０】
（２）前記バーの外側表面が滑りにくい素材で成ることを特徴とするトレーニングラダーによって課題を解決する。
【００１１】
（３）複数の前記バーが、すべて同じ大きさで同じ形状であることを特徴とするトレーニングラダーによって課題を解決する。
トレーニングラダーを構成する複数のバーを、同じ大きさで同じ形状のものにすることにより、はしご形は、正方形のマスが一方向につながったはしご形となる。トレーニングラダーでトレーニングする際、はしご型に並んだマス目を縦方向に用いたり、横方向に用いたりする。このため、一マスに足を踏み入れたり足を踏みだしたりする場合の歩幅が同じであるほうが良い。一つのマスの形が正方形であれば、はしご型に並んだマス目を縦方向に用いた場合と横方向に用いた場合の、歩幅を同じにすることができる。
【００１２】
（４）前記バーが滑りにくい素材で成ることを特徴とするトレーニングラダーによって課題を解決する。
【００１３】
（５）前記バーが長手方向に延びる中空部を備えた管状体であり、前記中空部に挿入されたひも状体により隣り合う前記バーがつながることを特徴とするトレーニングラダーによって課題を解決する。
バーが長手方向に延びる中空部を備えた管状体であることにより、バーとバーをひも状体でつなぐことが容易となる。ひも状体を、各バーの中空部に通すことにより、バーとバーはひも状体によってつながる。
【００１４】
（６）前記バーが内側に存する内側バーと外側に存する外側バーで構成される二重構造で成り、外側バーが滑りにくい素材で成ることを特徴とするトレーニングラダーによって課題を解決する。
バーの外側は滑りにくい素材で成る必要がある。一方、バーの内側は滑りやすい素材で成ることが好ましい。なぜならば、バーの内側は、中空部をひもが通っており、ひもは自由に滑り動く方が好ましいためである。バーを内側バーと外側バーで構成される二重構造とすることにより、内側バーと外側バーとで、二種類の異なる素材を用いることができる。その結果、バーの外側と内側とで、滑りにくいという性質と、滑りやすいという性質の、異なる性質を備えたものにすることができる。
【００１５】
（７）前記内側バーがチューブ型の硬質プラスチックで成り、外側バーがチューブ型の軟質プラスチックで成ることを特徴とするトレーニングラダー。
チューブ型の硬質プラスチックや、チューブ型の軟質プラスチックは、いずれも大量生産されている。その結果、トレーニングラダーを生産するにあたり、材料を容易に入手することができ、製造コストを抑えることができる。
【００１６】
（８）前記ひも状体がトレーニングラダーのはしごの一マスを構成する４つのバーを亘って一つなぎとなった輪を形成することを特徴とするトレーニングラダーによって課題を解決する。
ひも状体を、はしご型のトレーニングラダーの、はしごの一マスを形成する四つのバーを亘るようにする。すなわち、ひも状体が、４つのバーを亘る一つの輪を形成するようにする。ひも状体を、４つのバーを亘る一つの輪を形成するようにすることにより、トレーニングラダーを広げた状態から収納時の折りたたむ状態にするにあたり、バーとバーの間の長さの調整が容易となる。その理由は次の通りである。ひも状体が構成する一つの輪は、四つの「バー」と、四カ所の「バーとバーの間」に亘っている。トレーニングラダーを折りたたむ際、ひも状体が一つの輪を構成するため、四カ所の「バーとバーの間」は、とある「バーとバーの間」が広くなったら他の「バーとバーの間」が狭くなる、という状態となる。すなわち、広くなった、とある「バーとバーの間」に用いられたひも状体は、もとは、狭くなった、他の「バーとバーの間」を構成していたひも状体だからである。「バーとバーの間」を構成するひも状体を、ある程度余裕のある長さとしておくことにより、そのように「バーとバーの間」が広くなったり狭くなったりさせることが可能である。また、ひも状体は、多少の伸縮を許す素材としても良い。
【００１７】
（９）前記ひも状体が、トレーニングラダーの全てのマスにおいて、一マスを構成する４つのバーを亘って一つなぎとなった輪を形成しており、隣り合うマスに共通するバーにおいては、隣り合うマスのそれぞれに亘るひも状体の輪が双方とも亘ることを特徴とするトレーニングラダーによって課題を解決する。
隣り合うマスに共通するバーにおいては、隣り合うマスのそれぞれに亘るひも状体の輪が双方とも亘る構成とすることにより、トレーニングラダー全体において、トレーニングラダーを広げた状態から収納時の折りたたむ状態にするにあたり、バーとバーの間の長さの調整が容易となる。
【発明の効果】
【００１８】
本願に係るトレーニングラダーにあっては、持ち運んだり保管したりするために、折りたたんで小さくした際に、トレーニングラダー自体がからまることがない。
【００１９】
本願に係るトレーニングラダーにあっては、折りたたんだ状態から使用時の広げた状態にする際に、短時間で、容易にはしご型に広げることができる。
【００２０】
本願に係るトレーニングラダーにあっては、使用者が使用時にラダーを踏んだ際に、容易に滑り動くことがない。
【図面の簡単な説明】
【００２１】
【図１】実施例１に係るトレーニングラダーを示す。
【図２】実施例１に係るトレーニングラダーを示す。
【図３】実施例１に係るトレーニングラダーを示す。
【図４】実施例１に係るトレーニングラダーを示す。
【図５】実施例１に係るトレーニングラダーの、収納時の折りたたみ方を示す。
【図６】トレーニングラダーを用いた訓練方を例示する。
【図７】実施例２に係るトレーニングラダーを示す。
【図８】従来例（特許文献１）のトレーニングラダーを示す。
【発明を実施するための形態】
【００２２】
発明を実施するための形態の例を、実施例１及び実施例２に示す。
【実施例１】
【００２３】
図１から図６に実施例１のトレーニングラダーを示す。
【００２４】
図１に実施例１に係るトレーニングラダーの全体を示す。トレーニングラダー１は、地面や芝生、体育館や一般家庭のフローリングの床の上等に、図１に示すとおり、はしご型になるように広げて配置する。図６で後述するとおり、はしご型に並んだマスに足を踏み入れ、マスを用いた所定のステップを踏む。
【００２５】
トレーニングラダー１は、外観では、図１の、向かって右側に直列に並ぶ４本のバー５と、向かって左側に直列に並ぶ４本のバー５と、これらの直列に並んだバー５の端部同士を順につないで並列に並ぶ５本のバー５とからなる。合計１３本のバー５は形状が共通し、長さも同じである。１３本のバーが全体で一つのはしご形状を成している。
【００２６】
バー５は、外観では一本に見えるが、一つのバーは内側バー３と外側バー４からなる（図１、図２、図３、図４）。内側バー３と外側バー４は、いずれも中空の筒状体で成る。内側バー３は硬質プラスチックで成り、内側バー３の内面は摩擦抵抗が低く滑り易い。外側バー４は軟質プラスチックで成り、外側バー４の外面は摩擦抵抗が高く滑りにくい。
【００２７】
図１から図４に示す通り、ひもは、内側バー３に挿入され、複数のバーを亘っている。図３に示す通り、ひも６ａは、はしご型を形成するマスの一つを構成する４つのバーを亘る。ひも６ａは一つの輪を形成している。ひも６ｂは、ひも６ａが亘ったマスの一つとなりのマスを構成する４つのバーを亘る。ひも６ｂは一つの輪を形成している。ひも６ａが亘たるマスと、ひも６ｂが亘るマスは、隣り合っており、バー５ａを共通とするところ、バー５ａにはひも６ａとひも６ｂが双方とも亘っている。
【００２８】
他の二つのマスも上記と同様であり、図４に示す通り、四つのマスを備えるトレーニングラダー１では、それぞれのマスに、それぞれ一本のひも（６ａ、６ｂ、６ｃ、６ｄ）が亘っており、それぞれのひもは綴じられ輪になっている。隣り合うマスに共通するバー（５ａ、５ｂ、５ｃ）では、隣り合うマスが備えるひもが、それぞれ亘っている。すなわち、バー５ａにはひも６ａと６ｂが亘っている。バー５ｂにはひも６ｂと６ｃが亘っている。バー５ｃにはひも６ｃと６ｄが亘っている。
【００２９】
トレーニングラダー１をはしご型に広げた際に、並列に５個並んだバーのうち、端部に位置するバー５には、図１に示す通り、マーカー８が付してある。マーカー８は、収納状態から使用状態にするためにトレーニングラダーを広げる際に用いる。１３本のバーは、収納状態では、無作為に束ねられているところ、トレーニングラダーの使用者は、マーカー８を頼りに両端に位置するべき二本のバーを見つける。使用者は、マーカー８の付されたバーを、左右の手に一本ずつ握り、腕を広げる。その結果、トレーニングラダー１は、瞬時にはしご型に広がる。
【００３０】
図５により、トレーニングラダー１を収納する際の、折りたたみ方の一例を説明する。図５（ａ）では、１３本のバーにａからｍの符号を付してある。図５（ｂ）から図５（ｆ）では、その符号は省略している。
（ａ）ａのバーとｅのバーを両手に一つずつ掴み、図の矢印の方向に持ち上げる。
（ｂ）ｇのバーとｈのバーを矢印の方向に寄せる。
（ｃ）ｊのバーとｍのバーを矢印の方向に寄せる。
（ｄ）ｊのバーとｍのバーを矢印の方向にさらに寄せる。
（ｅ）ａのバーとｊのバーをｆのバーの方向に、ｍのバーとｅのバーをｉのバーの方向に、それぞれ折り曲げる。
（ｆ）ｇのバーとｃのバーとｈのバーを、ｆのバーの方向に折り曲げる。これにより折りたたみは完了する。折りたたんだ結果、トレーニングラダーはバー一本分の長さとなり、持運びや収納に便利である。なお、トレーニングラダーの折りたたみ方は、これに限らず、使用者の好みにより様々に対応できる。
【００３１】
トレーニングラダーを図５に示すように折りたたむ場合、バーの位置や向きの変化に応じて、バーとバーの間のひもの長さが変更になる。次の理由により、バーとバーの間のひもの長さは、自在に変化できる。トレーニングラダー１は、外観上、１３本のバーと、バーをつなぐひもで成るところ、ひもは、若干の伸縮性を備える。また、ひもは、４本のバーの中を亘り、一つの輪を構成しているため、とある個所のバーとバーの間隔を若干長く取った場合には、他の箇所のバーとバーの間隔がその分短くなる。このようなバーとバーの間を占めるひもの長さの調整は、輪を構成するひもが、引っ張ったり引っ張られたりしてバーの中空体の中をずれ動くことにより、容易に行われる。
【００３２】
図６に、トレーニングラダー１を用いたトレーニングのやり方を例示する。図６で、Ｌは左足の位置を示し、Ｒは右足の位置を示し、矢印は人の移動方向を示す。
【００３３】
図６の（ａ）では、トレーニングする者は、トレーニングラダー１の、図で示す下方に立ち、マスを用いて次の順にステップを踏む。
下から一番目のマスに右足で着地、
一番目のマスに左足で着地、
二番目のマスに右足で着地、
二番目のマスに左足で着地、
三番目のマスに右足で着地、
三番目のマスに左足で着地、
四番目のマスに右足で着地、
四番目のマスに左足で着地、
四番目のマスの上方のマス外に右足で着地、
四番目のマスの上方のマス外に左足で着地、
終了。
【００３４】
図６の（ｂ）では、トレーニングをする者は、トレーニングラダー１の、図に示す右下方に立ち、マスを用いて次の順にステップを踏む。
右から一番目のマスに右足で着地、
二番目のマスに左足で着地、
二番目のマスの下方のマス外に右足で着地、
二番目のマスの下方のマス外に左足で着地、
二番目のマスに右足で着地、
三番目のマスに左足で着地、
三番目のマスの下方のマス外に右足で着地、
三番目のマスの下方のマス外に左足で着地、
三番目のマスに右足で着地、
四番目のマスに左足で着地、
四番目のマスの下方のマス外に右足で着地、
四番目のマスの下方のマス外に左足で着地、
四番目のマスに右足で着地、
四番目のマスの左方のマス外に左足で着地、
四番目のマスの左下方のマス外に右足で着地、
終了。
【００３５】
前後方向の身体の移動、左右方向の身体の移動、片足によるステップ、両足によるステップ、速度の速いステップ、速度の遅いステップ、等、組み合わせることによろい、様々なステップを考案できる。様々なステップを、正しい姿勢で踏むことができるように訓練することにより、人体の動きに良い影響が表れる。その結果、スポーツの技能が高まることに加え、高齢者等、身体能力の低下を抑えることができる。
【実施例２】
【００３６】
実施例２のトレーニングラダー１１を図７に示す。トレーニングラダー１１は、１３本のバー１５と、各々のバー１５の間を１０か所でそれぞれつなぐひも１６により構成される。トレーニングラダーを、複数のバーとバーをつなぐひもによって構成することにより、バーの構造が、実施例１よりも簡易となる。バーとバーをつなぐひもの長さに関し、ある程度余裕があるものとすることにより、収納時に折りたたむことも、問題なく実現できる。
【００３７】
バー１５の素材は次の通りである。まず、はしご型を維持できる程度の剛性を備える。使用者がバーを踏んだ際に、踏んだ力をある程度吸収する程度の柔軟性を備える。また、使用者がバーを踏んだ際に、使用地がフローリングの床等の滑り易い地であっても、転がりにくい程度の摩擦抵抗を表面に備える。バーの素材は、具体的には、ある程度の剛性を備えた軟質プラスチックが考えられる。全てのバーをこのような素材とすることにより、例えば使用者が一本のバーを踏んだ場合であっても、他のバーの外面にも、滑りにくい素材が適用されているため、他のバーが、使用者が滑るのを食い止めることができる。
【００３８】
バー１５は、端部にひもが取り付けてあり、全体としてはしご型形状となるよう、バーの端部がつなげられている。
【符号の説明】
【００３９】
１  トレーニングラダー
３  内側バー
４  外側バー
５  バー
６  ひも
８  マーカ
１１  トレーニングラダー
１５  バー
１６  ひも
２１  トレーニングラダー
２２ａ〜２２ｅ  バー
２３ａ、２３ｂ  チェーン
【要約】
【課題】
小さく折り曲げて収納した状態にした際トレーニングラダー自体がからまることのなく、かつ、収納した状態から使用時の状態にする際に、短時間で、容易に、はしご型に広げることのでき、かつ、使用時に、使用者がラダーを踏んだ際に、容易に滑り動くことのないトレーニングラダーを提供することを課題とする。
【解決手段】
はしご型に並べたバーと、各バーをつなぐひも状態によって課題を解決する。バーが滑りにくい素材で構成される等、バーが滑りにくい部位を備えることにより、トレーニングラダーの使用者が、使用中にうっかり足でバーを踏んだ場合であっても、使用者が、滑り動くバーと共に滑って転ぶ、といった状況になることを回避できる。
【選択図】        図１【図１】
0006710309.tif 000002
【図２】
0006710309.tif 000003
【図３】
0006710309.tif 000004
【図４】
0006710309.tif 000005
【図５】
0006710309.tif 000006
【図６】
0006710309.tif 000007
【図７】
0006710309.tif 000008
【図８】
0006710309.tif 000009